(57)【特許請求の範囲】
【請求項１】
壁面部材と、
前記壁面部材に対し該壁面部材に交差する方向から着脱可能な床板部材と、
を備える組立玩具であって、
前記壁面部材と前記床板部材のいずれか一方に設けられた板片状の被挟持部と、前記壁面部材と前記床板部材のいずれか他方に設けられ前記被挟持部を着脱可能に挟持する板片状の挟持部と、を有する結合係止部と、
前記壁面部材と前記床板部材のいずれか一方に設けられた凸部と、前記壁面部材と前記床板部材のいずれか他方に設けられ前記凸部が挿入可能な凹部と、を有する凹凸保持部と、を備え、
前記壁面部材と前記床板部材は、前記結合係止部の挟持により着脱可能に結合され、
前記挟持部は、一対の板片状の弾性片が対面して奥広がりの挿入空間を形成しており、
前記一対の弾性片は、窪み部内に設けられ、当該一対の弾性片の先端は、前記窪み部から突出しないように設けられており、
前記被挟持部は、前記挿入空間内に着脱可能で先端部が肉厚に構成されている、
組立玩具。
【請求項２】
請求項１記載の組立玩具であって、
前記壁面部材は所定の厚みを有し、
前記床板部材は前記方向に延び且つ所定の厚みを有し、
前記被挟持部は前記床板部材の厚み方向の幅を有し、
前記挟持部は前記床板部材の厚み方向の幅を有し、、
前記壁面部材と前記床板部材は、前記結合係止部の挟持及び前記凹凸保持部の凹凸係合により着脱可能に結合される、
組立玩具。
【請求項３】
請求項１又は２に記載の組立玩具であって、
前記結合係止部と前記凹凸保持部は隣接して設けられている、
組立玩具。
【請求項４】
請求項１〜３の何れか一項に記載の組立玩具であって、
前記一対の弾性片は、開口を挟んで形成されている、
組立玩具。
【請求項５】
請求項１〜４の何れか一項に記載の組立玩具であって、
前記被挟持部若しくは前記挟持部は、前記凹凸保持部の凸部と同じ側に形成され、且つ前記凸部の突出高さと同等若しくは低く形成されている、
組立玩具。
【請求項６】
請求項１〜５の何れか一項に記載の組立玩具であって、
前記凹凸保持部の前記凸部と前記凹部の組み合わせ形状が、台形に形成されている、
組立玩具。
【請求項７】
請求項１〜６の何れか一項に記載の組立玩具であって、
前記床板部材と当該床板部材が結合される前記壁面部材の領域には、複数の前記結合係止部が設けられ、且つ、隣り合う２つの前記結合係止部の間に前記凹凸保持部が１つ設けられている組立玩具。
【発明の詳細な説明】
【技術分野】
【０００１】
本発明は、組立玩具に関する。
【背景技術】
【０００２】
従来、玩具には、ブロック部品や所定の構造物を組立てたり、また、分解して組立て直したり、分解して収納したりするものがある。この種の玩具やその他ブロック組立て物品においては、組立て部品の結合・分解が容易で且つ結合が確実であることが重要である。この結合・分解が容易な構造として部品同士を嵌め合わせる構造のものがある（例えば、特許文献１）。
【０００３】
特許文献１に記載された構造においては、例えば、住宅模型のブロック組合せの構造において、屋根や柱、その他区画部分の部品を、嵌合凹溝と嵌合凸条や嵌合凸部とを嵌め合わせることで各部品同士を連結・分解可能にする構造が開示されている。
【先行技術文献】
【特許文献】
【０００４】
【特許文献１】実開昭６１−６８２８０号公報
【発明の概要】
【発明が解決しようとする課題】
【０００５】
特許文献１においては、嵌合凹溝と嵌合凸条との嵌合連結では、その連結強度は、嵌合凹溝と嵌合凸条の寸法精度に依存する。すなわち、凹凸嵌合では、寸法精度によって連結強度や分解しやすさが決定されることから、高い寸法精度が必要である。特に、合成樹脂にて部品を製造するときには、使用樹脂の性質や特性を考慮して寸法設定や金型製造寸法の調整をしなければならないために、寸法調整が極めて難しいと云う課題があった。
【０００６】
また、一般に、組立玩具において、例えば、壁部品の壁面に水平部品を連結し、その水平部品の上に他の物品を乗せて遊ぶような構造物においては、水平部品の連結が強固である必要があると共に分解も容易にできる構造が望まれている。
【０００７】
本発明は、組立て時の確実な結合ができ且つ分解が容易な組立玩具を提供することを目的とする。
【課題を解決するための手段】
【０００８】
本発明に係る組立玩具は、壁面部材と、前記壁面部材に対し該壁面部材に交差する方向から着脱可能な床板部材と、を備える組立玩具であって、前記壁面部材と前記床板部材のいずれか一方に設けられた板片状の被挟持部と、前記壁面部材と前記床板部材のいずれか他方に設けられ前記被挟持部を着脱可能に挟持する板片状の挟持部と、を有する結合係止部と、前記壁面部材と前記床板部材のいずれか一方に設けられた凸部と、前記壁面部材と前記床板部材のいずれか他方に設けられ前記凸部が挿入可能な凹部と、を有する凹凸保持部と、を備え、前記壁面部材と前記床板部材は、前記結合係止部の挟持により着脱可能に結合される。また、本発明に係る組立玩具は、壁面部材と、前記壁面部材に対し該壁面部材に交差する方向から着脱可能な床板部材と、を備える組立玩具であって、前記壁面部材と前記床板部材のいずれか一方に設けられた板片状の被挟持部と、前記壁面部材と前記床板部材のいずれか他方に設けられ前記被挟持部を着脱可能に挟持する板片状の挟持部と、を有する結合係止部と、前記壁面部材と前記床板部材のいずれか一方に設けられた凸部と、前記壁面部材と前記床板部材のいずれか他方に設けられ前記凸部が挿入可能な凹部と、を有する凹凸保持部と、を備え、前記壁面部材と前記床板部材は、前記結合係止部の挟持により着脱可能に結合され、前記挟持部は、一対の板片状の弾性片が対面して奥広がりの挿入空間を形成しており、前記一対の弾性片は、窪み部内に設けられ、当該一対の弾性片の先端は、前記窪み部から突出しないように設けられており、前記被挟持部は、前記挿入空間内に着脱可能で先端部が肉厚に構成されている。

【０００９】
また、本発明に係る組立玩具は、前記壁面部材は所定の厚みを有し、前記床板部材は前記方向に延び且つ所定の厚みを有し、前記被挟持部は前記床板部材の厚み方向の幅を有し、前記挟持部は前記床板部材の厚み方向の幅を有し、前記壁面部材と前記床板部材は、前記結合係止部の挟持及び前記凹凸保持部の凹凸係合により着脱可能に結合されるようにしてもよい。
【００１０】
また、本発明に係る組立玩具においては、前記結合係止部と前記凹凸保持部は隣接して設けられているようにしてもよい。
【００１１】
また、本発明に係る組立玩具においては、前記挟持部は、一対の板片状の弾性片が対面して奥広がりの挿入空間を形成しており、前記被挟持部は、前記挿入空間内に着脱可能で先端部が肉厚に構成されているようにしてもよい。
【００１２】
また、本発明に係る組立玩具においては、前記一対の弾性片は、窪み部内に設けられ、  前記一対の弾性片の先端は、前記窪み部から突出しないように設けられているようにしてもよい。
【００１３】
また、本発明に係る組立玩具においては、前記一対の弾性片は、開口を挟んで形成されているようにしてもよい。
【００１４】
また、本発明に係る組立玩具においては、前記被挟持部若しくは前記挟持部は、前記凹凸保持部の凸部と同じ側に形成され、且つ前記凸部の突出高さと同等若しくは低く形成されているようにしてもよい。
【００１５】
また、本発明に係る組立玩具においては、前記凹凸保持部の前記凸部と前記凹部の組み合わせ形状が、台形に形成されているようにしてもよい。
【００１６】
また、本発明に係る組立玩具においては、前記床板部材と当該床板部材が結合される前記壁面部材の領域には、複数の前記結合係止部が設けられ、且つ、隣り合う２つの前記結合係止部の間に前記凹凸保持部が１つ設けられているようにしてもよい。
【発明の効果】
【００１７】
本発明によれば、組立て時の確実な結合が可能で且つ分解が容易な組立玩具を提供することができる。
【図面の簡単な説明】
【００１８】
【図１】本発明の一実施形態である組立玩具の外観を示す一部破断斜視図である。
【図２】図１に示す組立玩具の壁面部材の組立て状態の平面図である。
【図３】図１に示す組立玩具の床板部材の平面図である。
【図４】図３に示す床板部材の要部を拡大した斜視図である。
【図５】図３に示す床板部材の要部を拡大した平面図である。
【図６】図２に示す壁面部材の要部を拡大した斜視図である。
【図７】図２に示す壁面部材の厚み方向の要部断面図である。
【図８】壁面部材と床板部材の結合操作を示す概略説明図である。
【図９】壁面部材と床板部材の結合状態を示す概略断面図である。
【図１０】本発明の変形例を示す要部斜視図である。
【図１１】図１０に示す変形例における壁面部材と床板部材の結合状態を示す概略断面図である。
【発明を実施するための形態】
【００１９】
以下、本発明の一実施形態である組立玩具について、図面を参照して説明する。
図１は、組立玩具の外観を示す一部を破断した斜視図であり、図２は壁面部材２を示す平面図であり、図３は、床板部材３を示す平面図である。
【００２０】
組立玩具１は、その一例として図１に示すように、所定の厚みを有した合成樹脂製であり、例えば垂直に置けるように左右の両端が若干屈曲した形状の壁面部材２と、この壁面部材２に対し直交方向に連結され、また、直交方向に離脱可能な床板部材３と、を備える。この組立玩具１としての使用形態は、例えば、床板部材３上に、ビークル模型やその他の模型を載置して遊ぶことができるビークル模型基地として使用できる。
【００２１】
床板部材３は、図１に示す如く壁面部材２の高さ方向の、例えば中段に取付けた構成とする他に、壁面部材２の下端側や上端側にも、後述するように取付け自在に構成されている。また、床板部材３の自由端側（壁面部材２に結合された側とは反対側）には、図示しない傾斜台等を連結できる構造を備えている。したがって、床板部材３上のビークル模型を、傾斜台を使って降ろしたり、また、傾斜台を登らせたりして遊ぶことができる。
【００２２】
壁面部材２は、図２に示すように、前掲の如く、例えば両端が前方（以下、床板部材３を取付ける側を「前方」とする）に適宜角度にて屈曲した構造となっている。この屈曲構造によれば、垂直に立てるときに自立でき好都合である。また、床板部材３を取付ける連結構造は、壁面部材２の前方の上下端部分及び中央部分に設けられている。
【００２３】
連結構造は、結合係止部１０及び凹凸保持部２０の二つの異なった構成を備えている。なお、結合係止部１０は、壁面部材２に設けられた挟持部１２（図２参照）と床板部材３に設けられた被挟持部１１（図３参照）とにより構成される。また、凹凸保持部２０は、壁面部材２に設けられた凹部２２（図２参照）と床板部材３に設けられた凸部２１（図３参照）とにより構成される。
そして、例えば、図２に示すように、壁面部材２には、床板部材３に設けられ被挟持部１１を挟み込むことができる挟持部１２と、床板部材３に設けられ凸部２１の挿入を許容する凹部２２と、が隣接して交互に設けられている。
【００２４】
なお、壁面部材２は、図示では一枚板のように示しているが、例えば、左右中央の分割線１ｃの部分にて分解結合が自在であり、さらには、左右両端部に他の壁面部材等を結合することが可能である。
【００２５】
床板部材３は、図３に示すように、例えば、中央床板３ａ、左側床板３ｂ及び右側床板３ｃの三部材にて構成されている。そして、各床板の一端側には、壁面部材２に連結する前掲の連結構造が設けられている。すなわち、壁面部材２の挟持部１２に連結可能な被挟持部１１と、壁面部材２の凹部２２に挿入・係合可能な凸部２１と、が床板部材３の一端部３ｔに交互に並んで設けられている。
【００２６】
以下、図４及び図５を参照して床板部材３の連結構造について説明する。なお、図４は床板部材３の一端部３ｔを拡大した斜視図であり、図５は床板部材３の一端部３ｔを拡大した平面図である。
【００２７】
床板部材３の被挟持部１１は、図４及び図５に示すように、一端部３ｔから外側に向って延出された構成となっている。より詳細には、被挟持部１１は、床板部材３の厚みと略同等の幅Ｗ１を有する板片状の部材である。また、被挟持部１１は、突出基部１１ｂの肉厚ｔ１に比べて厚肉に（図４で指示されている先端部１１ｅの幅ｔ２がｔ２＞ｔ１となるように）形成された先端部１１ｅが形成されている。また、被挟持部１１に隣接して設けられた凸部２１は、例えば台形状に構成されている。この凸部２１の突出高さＨ２は、被挟持部１１の突出高さＨ１と同等かそれ以上の高さを有している。
【００２８】
以下、図６及び図７を参照して説明する。なお、図６は、壁面部材２の要部を拡大した斜視図であり、図７は壁面部材２の厚み方向の要部断面図である。
【００２９】
壁面部材２の挟持部１２は、図６及び図７に示すように、一対の板片状の弾性片１２ｐ，１２ｐが窪み部５の内側に設けられている。この一対の弾性片１２ｐ，１２ｐは、窪み部５の底部から開口側に向って平行に延出されている。そして、一対の弾性片１２ｐ，１２ｐは、先端部が互いに向き合った側に突出する張出先端部１２ｅ，１２ｅを備えている。したがって、挟持部１２は、窪み部５の開口側から見て、奥広がりの挿入空間１２ｓｐが形成されている。この奥広がりの挿入空間１２ｓｐに先端が肉厚な被挟持部１１が挿入されることで、被挟持部１１は挟持部１２に係止される。
【００３０】
また、一対の弾性片１２ｐ，１２ｐの突出高さＨ３は、窪み部５の深さＨ４と同等かそれよりも小さく構成されている。すなわち、一対の弾性片１２ｐ，１２ｐは、窪み部５から、その先端が突出しないように設けられている。
【００３１】
また、一対の弾性片１２ｐ，１２ｐは、図７に示すように、壁面部材２の裏面側に貫通した開口１２ｈを挟んで形成されている。この開口１２ｈを挟む位置に一対の弾性片１２ｐ，１２ｐが形成される構造は、弾性片１２ｐを成形金型にて射出成形するときに、この開口１２ｈの構造を利用して、樹脂射出後において型の無理抜きをすること無く張出先端部１２ｅを容易に形成することができる。よって、成形金型を複雑化することなく、弾性片１２ｐの張出先端部１２ｅを大きく張出すことが可能となる。
【００３２】
また、壁面部材２の凹部２２は、挟持部１２に隣接して台形凹状に形成され、床板部材３の凸部２１が挿入係合される。
【００３３】
以下、図８及び図９を参照して説明する。なお、図８は、壁面部材２と床板部材３の結合操作を示す概略説明図であり、図９は、壁面部材２と床板部材３の結合状態を示す概略断面図である。
【００３４】
前掲のように構成された連結構造においては、例えば、図８に示すように、床板部材３の被挟持部１１を壁面部材２の挟持部１２に押し込むように操作する。
このときの左右の位置決めは、目視によるが、凸部２１と凹部２２との位置関係が大まかな目安になり、押込み操作初期の段階においては、凸部２１の傾斜面２１ｓと凹部２２の傾斜面２２ｓとは、その接触により左右方向のガイド機能を有する。
【００３５】
また、両部材を押し込むときは、被挟持部１１の先端部１１ｅが弾性片１２ｐ，１２ｐの張出先端部１２ｅ，１２ｅ間を押し広げるようにして挿入空間１２ｓｐに入る。この結合係止部１０の係止状態は、図９に示すように、一対の弾性片１２ｐ，１２ｐの張出先端部１２ｅと被挟持部１１の先端部１１ｅとの引っ掛かりにより維持される。この引っ掛かり状態は、床板部材３の厚み方向の幅Ｗ２を有して行われている。より詳細には、被挟持部１１と挟持部１２の引っ掛かり状態は、床板部材３の略厚みの幅を持った線接触で、言い換えると、抜け方向と直交する方向の長さを有する線接触である。これにより、結合係止部１０は、確実な係止を行うことができる。
【００３６】
また、床板部材３の複数の凸部２１は、凹部２２に嵌入した凹凸係合している。このことから、床板部材３に対してその厚み方向の外力Ｆが床板部材３の床表面３ｓに作用した場合でも、凹凸係合の壁面同士が接することができ、大きな外力Ｆが働いても、床板部材３は、その連結角度を維持するべく充分耐え得ることができる。
また、壁面部材２には、床板部材３の表裏面に接近した位置に、例えば、台形状の補助リブ２ｂ（図９参照）が設けられており、床板部材３を補助的に支えることが可能になっている。
このように、壁面部材２と床板部材３は、結合係止部１０の挟持により確実に係止され、凹凸保持部２０の凹凸係合により補強されて着脱可能に結合される。
【００３７】
本実施形態の壁面部材２及び床板部材３は、合成樹脂で有れば特に制限するものではないが、例えば、メチルメタクリレート・アクリロニトリル・ブタジエン・スチレン（ＭＡＢＳ）やポリカーボネート（ＰＣ）により形成することができる。
【００３８】
図１０及び図１１を参照して上記実施形態の変形例を説明する。
図１０は、変形例における被挟持部１１を示す斜視図であり、図１１は、図１０に示す変形例における壁面部材２と床板部材３の結合状態を示す概略断面である。
【００３９】
本変形例の床板部材３の被挟持部１１は、図１０に示すように、突出基部１１ｂ及び先端部１１ｅについては、図４に示した構成と同じであるが、突出基部１１ｂ及び先端部１１ｅの一端側（図中においては上側）には、床板部材３の床表面３ｓと面一の略半円状の補強片部１１ｕが設けられている。すなわち、補強片部１１ｕが突出基部１１ｂ及び先端部１１ｅと直交して設けられていることで、被挟持部１１の強度は、強化されている。
【００４０】
このように構成された被挟持部１１が挟持部１２に係止された状態は、図１１に示すように、図９に示した場合と同様に、一対の弾性片１２ｐ，１２ｐの張出先端部１２ｅと被挟持部１１の先端部１１ｅとが引っ掛かるようになっているが、これに加えて、補強片部１１ｕの上端面１１ｕｓが窪み部５の内面５ｗに対面した状態となっている。したがって、床板部材３の床表面３ｓに、例えば、床板部材３の厚み方向の外力Ｆが加わったときには、上端面１１ｕｓが内面５ｗに当ることができる。これにより、係止状態の維持がより確実になる。
【００４１】
以上述べたように、本実施形態の組立玩具１によれば、壁面部材２と床板部材３は、結合係止部１０の挟持及び凹凸保持部２０の凹凸係合により結合されるので、結合係止部１０によって、両部材の係止状態を維持でき、且つ、結合係止部１０の係止部分が床板部材３の厚み方向の幅を有していることで、係止部分の係合幅を大きくできる。この結果、係合力を大きくすることに寄与できる。更に、凹凸保持部２０の凹凸係合により凹凸の壁面同士の接触が可能になり、例えば、床板部材３上に他の玩具等を載置したときに、壁面部材２に対して床板部材３の交差角度を維持する強度が向上する。
【００４２】
このように、従来の凹凸嵌合の結合力に依存する連結構造では凹凸の成型精度が高くなければ結合強度が高くできなかったが、本実施形態では、結合する両部材の係止状態の維持は、弾性力を有する結合係止部１０にて行われるので、凹凸嵌合部分の成形精度を高めなくても結合強度を確保が可能となる。
【００４３】
また、本実施形態の組立玩具１では、結合係止部１０と凹凸保持部２０は隣接して交互に設けられているので、壁面部材２と床板部材３の抜け方向（壁面部材厚み方向）の係止力と、壁面部材２と床板部材３の連結角度（両部材の交差角度）の維持力とを連結部の全域に均等にできる。また、凹凸保持部２０の凹凸位置関係により、組み立て時の取り付け位置の目印になり、組み立て性を向上できる。
【００４４】
また、本実施形態の組立玩具１では、挟持部１２は、一対の板片状の弾性片１２ｐ，１２ｐが対面して奥広がりの挿入空間１２ｓｐを形成し、被挟持部１１は、挿入空間１２ｓｐに挿入係合可能な板片状の部材にて構成されているので、被挟持部１１と挟持部１２の係合は、抜け方向の力の向きに対して直交する方向に所定幅を持って弾性的に係合する。この結果、結合係止部１０の係止機能を高めることができる。
【００４５】
また、本実施形態の組立玩具１では、一対の弾性片１２ｐ，１２ｐは、窪み部５内に設けられ、弾性片１２ｐ，１２ｐの先端が窪み部５から突出しないように設けられているので、弾性片１２ｐ，１２ｐは、保護され損傷や破損しにくい。
【００４６】
また、本実施形態の組立玩具１では、一対の弾性片１２ｐ，１２ｐは、開口１２ｈを挟んで形成されているので、弾性片１２ｐの先端の張出先端部１２ｅを、金型構造を複雑化することなく張り出し量を大きくすることができる。この結果、被挟持部１１に対する弾性片１２ｐの引っ掛かり量を大きくでき、係止力を大きくすることが容易である。
【００４７】
また、本実施形態の組立玩具１では、被挟持部１１は、凸部２１と同じ側に形成され、且つ凸部２１の突出高さＨ２と同等若しくは低く形成されている。これにより、被挟持部１１は損傷や破損がしにくい。
【００４８】
また、本実施形態の組立玩具１では、凹凸保持部２０の凸部２１と凹部２２の組み合わせ形状が、台形に形成されているので、壁面部材２と床板部材３を組み合わせる際に、視認性がよく取り付けの組み合わせ位置を特定しやすい。また、凸部２１と凹部２２の台形の傾斜面２１ｓ，２２ｓは、連結操作の際に位置合わせのガイド機能を持たせることができ、組付け容易性を高めることができる。
【００４９】
以上、本発明の一実施形態について説明したが、本発明はその技術思想の範囲で適宜変更することができる。例えば、上記実施形態においては、結合係止部１０の構造については、壁面部材２に挟持部１２を設け床板部材３に被挟持部１１を設けた構成としたが、逆に、壁面部材２に被挟持部１１を設け床板部材３に挟持部１２を設ける構成であっても良い。
【００５０】
また、凹凸保持部２０の構造について、上記実施形態においては、壁面部材２に凹部２２を設ける一方、床板部材３に凸部２１を設けた構成としたが、逆に、壁面部材２に凸部２１を設け、床板部材３に凹部２２を設ける構成でも良い。
【００５１】
また、上記実施形態においては、床板部材３の表裏面に対面するリブ構造として、壁面部材２に台形状の補助リブ２ｂを設けた構成としたが、これに限らず、例えば、床板部材３の一端部３ｔの上下縁部に対面する壁面部材２の接触部分を段差構造としも良い。また、壁面部材２の図柄や凹凸構造を利用して床板部材３の表裏面に対面するリブ構造としても良い。
【００５２】
また、上記実施形態においては、挟持部１２が壁面部材２の窪み部５内に形成されたが、挟持部１２が床板部材３側に設けられる場合は、この窪み部は、一端部３ｔに窪み部５を形成した構成でもよいが、挟持部１２を凸部２１間に設ける構造であっても良い。
【符号の説明】
【００５３】
１        組立玩具
２        壁面部材
３        床板部材
５        窪み部
１０      結合係止部
１１      被挟持部
１２      挟持部
１２ｈ    開口
１２ｐ    弾性片
１２ｓｐ  挿入空間
２０      凹凸保持部
２１      凸部
２２      凹部
【要約】      （修正有）【課題】組立て時の確実な連結且つ分解が容易な組立玩具を提供する。【解決手段】所定の厚みを有する壁面部材２と、壁面部材に対し該壁面部材に交差する方向から着脱可能で所定の厚みを有する床板部材３と、を備える組立玩具であって、壁面部材と床板部材のいずれか一方に床板部材の厚み方向の幅を有して設けられた板片状の被挟持部１１と、壁面部材と床板部材のいずれか他方に床板部材の厚み方向の幅を有して設けられ被挟持部を着脱可能に挟持する板片状の挟持部と、を有する結合係止部１０と、壁面部材と床板部材のいずれか一方に設けられた凸部２１と、壁面部材と床板部材のいずれか他方に設けられ凸部が挿入可能な凹部と、を有する凹凸保持部２０と、を備え、壁面部材と床板部材は、結合係止部の挟持及び凹凸保持部の凹凸係合により着脱可能に結合される。【選択図】図８【図１】
0006831028.tif 000002
【図２】
0006831028.tif 000003
【図３】
0006831028.tif 000004
【図４】
0006831028.tif 000005
【図５】
0006831028.tif 000006
【図６】
0006831028.tif 000007
【図７】
0006831028.tif 000008
【図８】
0006831028.tif 000009
【図９】
0006831028.tif 000010
【図１０】
0006831028.tif 000011
【図１１】
0006831028.tif 000012